(57)【要約】【課題】ロープ伸び調整作業及びロープ交換作業の簡単化を可能にするエレベーター用主ロープのロープ伸び調整方法及びロープ交換方法の提供を目的とする。【解決手段】上記目的は、プーリビーム８に装着した引っ張り装置１８、１８Ａにロープ保持具１７、１７Ａを装着し、そのロープ保持具１７、１７Ａで主ロープ６を保持した後、引っ張り装置でロープ保持具１７、１７Ａを引っ張ってロープ保持具１７、１７Ａをプーリビーム８に近づけた状態で、釣合いおもりと釣合いおもり用緩衝器との間の隙間寸法Ｌの調整や主ロープ６とシンブルロッド１３、１３Ａとの連結をすることによって、達成できる。【選択図】図１
2005082308.tif 000002
【特許請求の範囲】
【請求項１】
乗りかごを吊設する乗りかご用プーリと巻上機の駆動綱車と釣合いおもりを吊設する釣合いおもり用プーリとに少なくとも巻装された主ロープの両端を、シンブルロッド支持部材に設置されたシンブルロッドに連結してなるエレベーター用主ロープのロープ伸び調整方法において、前記シンブルロッド支持部材に引っ張り装置を装着し、かつ、前記引っ張り装置にロープ保持具を装着する装着工程と、前記ロープ保持具で前記主ロープを保持する保持工程と、この保持工程終了後、前記引っ張り装置で前記ロープ保持具を引っ張って前記ロープ保持具を前記シンブルロッド支持部材に近づけた状態で前記シンブルロッドを調整することにより前記釣合いおもりと昇降路のピット内底に設けた釣合いおもり用緩衝器との間の隙間寸法を調整する隙間寸法調整工程と、この隙間寸法調整工程終了後、前記主ロープの両端から前記ロープ保持具を取り外し、かつ、前記シンブルロッド支持部材から前記引っ張り装置を取り外す取外工程とを備えてなることを特徴とするエレベーター用主ロープのロープ伸び調整方法。
【請求項２】
前記シンブルロッド支持部材は、吊り板、マシンベース、プーリビーム若しくは昇降路内の梁からなり、しかも、前記引っ張り装置は、前記シンブルロッド支持部材に装着した玉掛けワイヤ及びこの玉掛けワイヤに取り付けたトルク調整可能なチェーンブロックからなるとともに、前記主ロープは、複数本からなり、かつ、前記乗りかご用プーリと複数個の転向プーリと前記駆動綱車と前記釣合いおもり用プーリとに巻装されたものであり、しかも、前記ロープ保持具は、複数本からなる前記主ロープを一緒に保持可能な構造としたものであることを特徴とする請求項１記載のエレベーター用主ロープのロープ伸び調整方法。
【請求項３】
乗りかごを吊設する乗りかご用プーリと巻上機の駆動綱車と釣合いおもりを吊設する釣合いおもり用プーリとに少なくとも巻装された主ロープの一端を、シンブルロッド支持部材に設置された第１のシンブルロッドに連結し、かつ、その主ロープの他端をシンブルロッド支持部材に設置された第２のシンブルロッドに連結してなるエレベーター用主ロープのロープ交換方法において、前記乗りかごを乗りかご吊り部材で、かつ、前記釣合いおもりを釣合いおもり支持部材で、それぞれ支持することにより前記主ロープに前記乗りかご及び前記釣合いおもりの荷重が加わらないように支持する支持工程と、前記シンブルロッド支持部材に、ロープ一端側用引っ張り装置とロープ中間部分用引っ張り装置とロープ他端側用引っ張り装置を装着し、かつ、前記ロープ一端側用引っ張り装置に一端側用ロープ保持具を、前記ロープ中間部分用引っ張り装置に中間部分用ロープ保持具を、前記ロープ他端側用引っ張り装置に他端側用ロープ保持具を、それぞれ装着する装着工程と、前記主ロープに換えて、新しい主ロープを前記乗りかご用プーリと前記駆動綱車と前記釣合いおもり用プーリに少なくとも巻装する巻装工程と、この巻装工程終了後、前記新しい主ロープの一端側を一端側用ロープ保持具で、前記新しい主ロープの中間部分を中間部分用ロープ保持具で、前記新しい主ロープの他端側を他端側用ロープ保持具で、それぞれ保持する保持工程と、この保持工程終了後、前記乗りかごから前記乗りかご吊り部材を、かつ、前記釣合いおもりから前記釣合いおもり支持部材を、それぞれ取り除く取除き工程と、この取除き工程終了後、前記ロープ一端側用引っ張り装置で前記一端側用ロープ保持具を引っ張ってその一端側用ロープ保持具を前記シンブルロッド支持部材側に近づけた状態を保ちつつその新しい主ロープの一端側を前記第１のシンブルロッドに連結し、その後前記一端側用ロープ保持具及び前記ロープ一端側用引っ張り装置を取り外してなるロープ一端側連結工程と、このロープ一端側連結工程終了後、前記ロープ中間部分用引っ張り装置で前記中間部分用ロープ保持具を引っ張って前記新しい主ロープの一端側の弛みを取る一端側弛み取り工程と、この一端側弛み取り工程終了後、前記ロープ他端側用引っ張り装置で前記他端側用ロープ保持具を引っ張って前記新しい主ロープの他端側の弛みを取る他端側弛み取り工程と、この他端側弛み取り工程終了後、前記新しい主ロープの中間部分から前記中間部分用ロープ保持具を、前記シンブルロッド支持部材から前記ロープ中間部分用引っ張り装置を、それぞれ取り外す中間部取外工程と、この中間部取外工程終了後に、前記ロープ他端側用引っ張り装置で前記他端側用ロープ保持具を引っ張って前記他端側用ロープ保持具を前記シンブルロッド支持部材に近づけた状態を保ちつつ、前記新しい主ロープの他端側を前記第２のシンブルロッドに連結し、かつ、そのシンブルロッドを調整することで前記釣合いおもりと前記釣合いおもり用緩衝器との間の隙間寸法を調整し、その後前記他端側用ロープ保持具及び前記ロープ他端側用引っ張り装置を取り外してなるロープ他端側連結工程とを備えてなるエレベーター用主ロープのロープ交換方法。
【請求項４】
前記支持工程終了後に、前記装着工程を実行するとともに、前記装着工程終了後に、前記巻装工程を実行することを特徴とする請求項３記載のエレベーター用主ロープのロープ交換方法。
【請求項５】
乗りかごを吊設する乗りかご用プーリと巻上機の駆動綱車と釣合いおもりを吊設する釣合いおもり用プーリとに少なくとも巻装された主ロープの一端を、シンブルロッド支持部材に設置された第１のシンブルロッドに連結し、かつ、その主ロープの他端をシンブルロッド支持部材に設置された第２のシンブルロッドに連結してなるエレベーター用主ロープのロープ交換方法において、前記乗りかごを乗りかご吊り部材で、かつ、前記釣合いおもりを前記釣合いおもり支持部材で、それぞれ支持することで前記主ロープに前記乗りかご及び前記釣合いおもりの荷重が加わらないように支持する支持工程と、この支持工程終了後、前記シンブルロッド支持部材に、ロープ一端側用引っ張り装置とロープ他端側用引っ張り装置を装着し、かつ、前記ロープ一端側用引っ張り装置に一端側用ロープ保持具を、前記ロープ他端側用引っ張り装置に他端側用ロープ保持具を、それぞれ装着する装着工程と、前記主ロープに換えて、新しい主ロープを、前記乗りかご用プーリと前記駆動綱車と前記釣合いおもり用プーリに少なくとも巻装する巻装工程と、この巻装工程終了後、前記新しい主ロープの一端側を前記一端側用ロープ保持具で、かつ、前記新しい主ロープの他端側に前記他端側用ロープ保持具で、それぞれ保持する保持工程と、この保持工程終了後、前記乗りかごから前記乗りかご吊り部材を、かつ、前記釣合いおもりから前記釣合いおもり支持部材を、それぞれ取り除く取除き工程と、この取除き工程終了後、前記ロープ一端側用引っ張り装置で前記一端側用ロープ保持具を引っ張って前記一端側用ロープ保持具を前記シンブルロッド支持部材側に近づけた状態を保ちつつその新しい主ロープの一端側を前記第１のシンブルロッドに連結し、その後前記一端側用ロープ保持具及び前記ロープ一端側用引っ張り装置を取り外してなるロープ一端側連結工程と、このロープ一端側連結工程終了後、前記ロープ他端側用引っ張り装置で前記他端側用ロープ保持具を引っ張ってその他端側用ロープ保持具を前記シンブルロッド支持部材に近づけた状態を保ちつつ、前記新しい主ロープの他端側を前記第２のシンブルロッドに連結し、かつ、そのシンブルロッドを調整することで前記釣合いおもりと前記釣合いおもり用緩衝器との間の隙間寸法を調整し、その後前記他端側用ロープ保持具及び前記ロープ他端側用引っ張り装置を取り外してなるロープ他端側連結工程とを備えてなることを特徴とするエレベーター用主ロープのロープ交換方法。
【発明の詳細な説明】
【技術分野】
【０００１】
本発明は、主ロープ伸び調整作業及び主ロープ交換作業に好適なエレベーター用主ロープのロープ伸び調整方法及びロープ交換方法に関するものである。
【背景技術】
【０００２】
従来、エレベーターにおいて、乗りかごを吊設する乗りかご用プーリと一個以上の転向プーリと巻上機の駆動綱車と釣合いおもりを吊設する釣合いおもり用プーリに巻装された既設の主ロープを、新しい主ロープに交換する場合には、乗りかごを乗りかご吊り部材で、かつ、釣合いおもりを釣合いおもり支持部材で、それぞれ支持して、既設の主ロープに乗りかご及び釣合いおもりの荷重が加わらない状態にした後、既設の主ロープの両端をプーリビームなどのシンブルロッド支持部材に設置したシンブルロッドから切り離して、その切り離した既設の主ロープの一端を新しい主ロープに接続し、かつ、その切り離した既設の主ロープの他端を巻取りドラムに接続し、その巻取りドラムに既設の主ロープを巻き取るようにしたものが知られている（例えば、特許文献１参照）。
【０００３】
また、乗りかごを吊設する乗りかご用プーリと一個以上の転向プーリと巻上機の駆動綱車と釣合いおもりを吊設する釣合いおもり用プーリに巻装された既設の主ロープのロープ伸び調整方法としては、主ロープの中間部分を巻装させる転向プーリの高さ位置を上方に移動させることにより、主ロープの長さや張力を調整するようにしたものが知られている（例えば、特許文献２参照）。
【特許文献１】特開２００３−２０６０８３公報（３頁の右段３８行〜４頁左段２８行、図１）
【特許文献２】特開２００１−１３９２５３公報（２頁右段の１９行〜３０行、図１）
【発明の開示】
【発明が解決しようとする課題】
【０００４】
しかしながら、上述の特開２００３−２０６０８３公報に記載されたエレベーター用主ロープのロープ交換方法では、巻取りドラムに既設の主ロープを巻き取った後、新しい主ロープの両端をプーリビームなどのシンブルロッド支持部材に設置したシンブルロッドに連結し、その後、主ロープに乗りかご及び釣合いおもりの荷重が加わらない状態に支持するための乗りかご吊り部材及び釣合いおもり支持部材を取り除くようにしている。
【０００５】
そのために、上述の特開２００３−２０６０８３公報に記載されたエレベーター用主ロープのロープ交換方法では、主ロープの両端をシンブルロッドに連結した後に、その主ロープに乗りかご及び釣合いおもりの全荷重が加わることになり、主ロープの初期伸びが発生してしまい、釣合いおもりと昇降路のピット底部に設けた釣合いおもり用緩衝装置との間の隙間寸法（カウンタクリアランス）を、規定寸法に設定することができない場合が発生するので、主ロープ交換作業終了後、さらに、シンブルロッドの調節ナットを螺進させて、主ロープをシンブルロッド支持部材側に引っ張り上げることにより、前記隙間寸法（カウンタクリアランス）が規定寸法になるようにするという主ロープ伸び調整作業しなければならない。ところが、主ロープには、乗りかご及び釣合いおもりの全荷重が加わっているために、シンブルロッドの調節ナットを螺進させて主ロープをシンブルロッド支持部材側に引っ張り上げるには大きな力が必要であって、前記隙間寸法（カウンタクリア）の調整作業が容易ではなかった。
【０００６】
しかも、上述の特開２００３−２０６０８３公報に記載されたエレベーター用主ロープのロープ交換方法では、巻取りドラムに巻き取られた既設の主ロープから新しい主ロープを切り離し、その切り離した新しい主ロープの端部を人力で、シンブルロッド支持部材のある位置まで引き上げた状態に保持しながら、シンブルロッドに主ロープの端部を連結しているため、主ロープ交換作業の作業性が悪かった。
【０００７】
また、特開２００１−１３９２５３公報に記載されたエレベーター用主ロープのロープ伸び調整方法では、転向プーリの高さ位置を上方に移動させることで主ロープの長さや張力を調整するようにしているが、主ロープに乗りかご及び釣合いおもりの全荷重が加わっているので、転向プーリを上方に移動させるには大きな力が必要であって、釣合いおもりと昇降路のピット底部に設けた釣合いおもり用緩衝装置との間の隙間寸法（カウンタクリア）の調整作業が容易ではなかった。
【０００８】
本発明の第１目的は、上述した従来技術における実状からなされたもので、主ロープの既設後の長時間稼動により主ロープが伸びて、釣合いおもりと昇降路のピット底部に設けた釣合いおもり用緩衝装置との間の隙間寸法（カウンタクリアランス）が規定寸法から外れた場合に、その隙間寸法（カウンタクリアランス）を規定寸法に設定する作業を簡単に行うことを可能にするエレベーター用主ロープのロープ伸び調整方法を提供することにある。
【０００９】
本発明の第２目的は、上述した従来技術における実状からなされたもので、主ロープのロープ交換時におけるロープの初期伸びを防止することで、主ロープ交換作業完了後に、隙間寸法（カウンタクリアランス）の再調整作業を不要にするとともに、主ロープの弛み取り及び主ロープとシンブルロッドとの連結を簡単に行うことを可能にするエレベーター用主ロープのロープ交換方法を提供することにある。
【００１０】
本発明の第３目的は、上述した従来技術における実状からなされたもので、主ロープのロープ交換時におけるロープの初期伸びを防止することで、主ロープ交換作業完了後に、隙間寸法（カウンタクリアランス）の再調整作業を不要にするとともに、主ロープの端部とシンブルロッドとの連結を簡単に行うことを可能にするエレベーター用主ロープのロープ交換方法を提供することにある。
【課題を解決するための手段】
【００１１】
上記第１目的を達成するために、本発明は、乗りかごを吊設する乗りかご用プーリと巻上機の駆動綱車と釣合いおもりを吊設する釣合いおもり用プーリとに少なくとも巻装された主ロープの両端を、シンブルロッド支持部材に設置されたシンブルロッドに連結してなるエレベーター用主ロープのロープ伸び調整方法において、前記シンブルロッド支持部材に引っ張り装置を装着し、かつ、前記引っ張り装置にロープ保持具を装着する装着工程と、この装着工程終了後、前記ロープ保持具で前記主ロープを保持する保持工程と、この保持工程終了後に、前記引っ張り装置で前記ロープ保持具を引っ張って前記ロープ保持具を前記シンブルロッド支持部材に近づけた状態で前記シンブルロッドを調整することにより前記釣合いおもりと昇降路のピット内底に設けた釣合いおもり用緩衝器との間の隙間寸法を調整する隙間寸法調整工程と、この隙間寸法調整工程終了後、前記主ロープの両端から前記ロープ保持具を取り外し、かつ、前記シンブルロッド支持部材から前記引っ張り装置を取り外す取外工程とを備えてなることを特徴としている。
【００１２】
かかるロープ伸び調整方法によれば、引っ張り装置でロープ保持具を上方に引っ張り上げてロープ保持具をシンブルロッド支持部材に近づけた状態とすると、シンブルロッドに、乗りかご及び釣合いおもりの荷重が加わらなくなるので、シンブルロッドの高さ位置を難なく工具等で上下方向に変位させることができるようになる。
【００１３】
また、上記第２目的を達成するために、本発明は、乗りかごを吊設する乗りかご用プーリと巻上機の駆動綱車と釣合いおもりを吊設する釣合いおもり用プーリとに少なくとも巻装された主ロープの一端を、シンブルロッド支持部材に設置された第１のシンブルロッドに連結し、かつ、その主ロープの他端をシンブルロッド支持部材に設置された第２のシンブルロッドに連結してなるエレベーター用主ロープのロープ交換方法において、前記乗りかごを乗りかご吊り部材で、かつ、前記釣合いおもりを釣合いおもり支持部材で、それぞれ支持することにより前記主ロープに前記乗りかご及び前記釣合いおもりの荷重が加わらないように支持する支持工程と、前記シンブルロッド支持部材に、ロープ一端側用引っ張り装置とロープ中間部分用引っ張り装置とロープ他端側用引っ張り装置を装着し、かつ、前記ロープ一端側用引っ張り装置に一端側用ロープ保持具を、前記ロープ中間部分用引っ張り装置に中間部分用ロープ保持具を、前記ロープ他端側用引っ張り装置に他端側用ロープ保持具を、それぞれ装着する装着工程と、前記主ロープに換えて、新しい主ロープを前記乗りかご用プーリと前記駆動綱車と前記釣合いおもり用プーリに少なくとも巻装する巻装工程と、この巻装工程終了後、前記新しい主ロープの一端側を一端側用ロープ保持具で、前記新しい主ロープの中間部分を中間部分用ロープ保持具で、前記新しい主ロープの他端側を他端側用ロープ保持具で、それぞれ保持する保持工程と、この保持工程終了後、前記乗りかごから前記乗りかご吊り部材を、かつ、前記釣合いおもりから前記釣合いおもり支持部材を、それぞれ取り除く取除き工程と、この取除き工程終了後、前記ロープ一端側用引っ張り装置で前記一端側用ロープ保持具を引っ張ってその一端側用ロープ保持具を前記シンブルロッド支持部材側に近づけた状態を保ちつつその新しい主ロープの一端側を前記第１のシンブルロッドに連結し、その後前記一端側用ロープ保持具及び前記ロープ一端側用引っ張り装置を取り外してなるロープ一端側連結工程と、このロープ一端側連結工程終了後、前記ロープ中間部分用引っ張り装置で前記中間部分用ロープ保持具を引っ張って前記新しい主ロープの一端側の弛みを取る一端側弛み取り工程と、この一端側弛み取り工程終了後、前記ロープ他端側用引っ張り装置で前記他端側用ロープ保持具を引っ張って前記新しい主ロープの他端側の弛みを取る他端側弛み取り工程と、この他端側弛み取り工程終了後、前記新しい主ロープの中間部分から前記中間部分用ロープ保持具を、前記シンブルロッド支持部材から前記ロープ中間部分用引っ張り装置を、それぞれ取り外す中間部取外工程と、この中間部取外工程終了後に、前記ロープ他端側用引っ張り装置で前記他端側用ロープ保持具を引っ張って前記他端側用ロープ保持具を前記シンブルロッド支持部材に近づけた状態を保ちつつ、前記新しい主ロープの他端側を前記第２のシンブルロッドに連結し、かつ、そのシンブルロッドを調整することで前記釣合いおもりと前記釣合いおもり用緩衝器との間の隙間寸法を調整し、その後前記他端側用ロープ保持具及び前記ロープ他端側用引っ張り装置を取り外してなるロープ他端側連結工程とを備えてなることを特徴としている。
【００１４】
かかるロープ交換方法によれば、主ロープが、乗りかご用プーリと転向プーリと昇降路のピット内底に設けられた駆動綱車と釣合いおもり用プーリに巻装されることにより、長くなっていても、主ロープの中間部分を中間部分用ロープ保持具で、かつ、主ロープの他端側を他端側用ロープ保持具で、それぞれ垂直方向に引っ張り上げられることによって、転向プーリ付近や乗りかご用プーリ付近における主ロープの弛みが確実にとれるとともに、主ロープに乗りかご及び釣合いおもりの全荷重が加わった状態で主ロープの他端側を第２のシンブルロッドに連結することができるので、主ロープの他端と第２のシンブルロッドを連結した後における主ロープの初期伸びの発生を防ぐことができる。
【００１５】
さらに、ロープ一端側用引っ張り装置により一端側用ロープ保持具を垂直方向に引っ張り上げることで、主ロープの一端をシンブルロッド支持部材側に近づけた状態を保持することができるため、作業者は主ロープの一端を保持する必要がなく、作業者は両手で主ロープの一端側と第１のシンブルロッドの連結作業を行うことが可能となるとともに、ロープ他端側用引っ張り装置により他端側用ロープ保持具を垂直方向に引っ張り上げることで、主ロープの他端をシンブルロッド支持部材側に近づけた状態を保持することができるため、作業者は主ロープの他端を保持する必要がなく、作業者は両手で主ロープの他端側と第２のシンブルロッドの連結作業を行うことが可能となる。
【００１６】
また、上記第３目的を達成するために、本発明は、乗りかごを吊設する乗りかご用プーリと巻上機の駆動綱車と釣合いおもりを吊設する釣合いおもり用プーリとに少なくとも巻装された主ロープの一端を、シンブルロッド支持部材に設置された第１のシンブルロッドに連結し、かつ、その主ロープの他端をシンブルロッド支持部材に設置された第２のシンブルロッドに連結してなるエレベーター用主ロープのロープ交換方法において、前記乗りかごを乗りかご吊り部材で、かつ、前記釣合いおもりを前記釣合いおもり支持部材で、それぞれ支持することで前記主ロープに前記乗りかご及び前記釣合いおもりの荷重が加わらないように支持する支持工程と、この支持工程終了後、前記シンブルロッド支持部材に、ロープ一端側用引っ張り装置とロープ他端側用引っ張り装置を装着し、かつ、前記ロープ一端側用引っ張り装置に一端側用ロープ保持具を、前記ロープ他端側用引っ張り装置に他端側用ロープ保持具を、それぞれ装着する装着工程と、前記主ロープに換えて、新しい主ロープを、前記乗りかご用プーリと前記駆動綱車と前記釣合いおもり用プーリに少なくとも巻装する巻装工程と、この巻装工程終了後、前記新しい主ロープの一端側を前記一端側用ロープ保持具で、かつ、前記新しい主ロープの他端側に前記他端側用ロープ保持具で、それぞれ保持する保持工程と、この保持工程終了後、前記乗りかごから前記乗りかご吊り部材を、かつ、前記釣合いおもりから前記釣合いおもり支持部材を、それぞれ取り除く取除き工程と、この取除き工程終了後、前記ロープ一端側用引っ張り装置で前記一端側用ロープ保持具を引っ張って前記一端側用ロープ保持具を前記シンブルロッド支持部材側に近づけた状態を保ちつつその新しい主ロープの一端側を前記第１のシンブルロッドに連結し、その後前記一端側用ロープ保持具及び前記ロープ一端側用引っ張り装置を取り外してなるロープ一端側連結工程と、このロープ一端側連結工程終了後、前記ロープ他端側用引っ張り装置で前記他端側用ロープ保持具を引っ張ってその他端側用ロープ保持具を前記シンブルロッド支持部材に近づけた状態を保ちつつ、前記新しい主ロープの他端側を前記第２のシンブルロッドに連結し、かつ、そのシンブルロッドを調整することで前記釣合いおもりと前記釣合いおもり用緩衝器との間の隙間寸法を調整し、その後前記他端側用ロープ保持具及び前記ロープ他端側用引っ張り装置を取り外してなるロープ他端側連結工程とを備えてなることを特徴とする。
【００１７】
かかるロープ交換方法によれば、主ロープが、乗りかご用プーリと昇降路の頂部に設けられた駆動綱車と釣合いおもり用プーリに巻装された主ロープであっても、主ロープに乗りかご及び釣合いおもりの全荷重が加わった状態で主ロープの他端側を第２のシンブルロッドに連結することができるので、主ロープの他端と第２のシンブルロッドを連結した後における主ロープの初期伸びの発生を防ぐことができる。しかも、ロープ一端側用引っ張り装置により一端側用ロープ保持具を垂直方向に引っ張り上げることで、主ロープの一端をシンブルロッド支持部材側に近づけた状態を保持することができるため、作業者は主ロープの一端を保持する必要がなく、作業者は両手で主ロープの一端側と第１のシンブルロッドの連結作業を行うことが可能となるとともに、ロープ他端側用引っ張り装置により他端側用ロープ保持具を垂直方向に引っ張り上げることで、主ロープの他端をシンブルロッド支持部材側に近づけた状態を保持することができるため、作業者は主ロープの他端を保持する必要がなく、作業者は両手で主ロープの他端側と第２のシンブルロッドの連結作業を行うことが可能となる。
【発明の効果】
【００１８】
本発明によれば、釣合いおもりと昇降路のピット内底に設けた釣合いおもり用緩衝器との間の隙間寸法（カウンタクリアランス）が規制寸法になるように調整する作業を、簡単に、かつ、正確に行うことができるエレベーター用主ロープのロープ伸び調整方法がえられた。
【００１９】
また、本発明によれば、主ロープのロープ交換時におけるロープの初期伸びの発生をなくし、主ロープの他端と第２のシンブルロッドを連結した後に、隙間寸法（カウンタクリアランス）を再調整するという作業を不要にすることができるので、隙間寸法（カウンタクリアランス）作業時間の短縮化を可能にするとともに、主ロープの端部とシンブルロッドとの連結作業の円滑化を図ることができ、しかも、主ロープの中間部分を中間部分用ロープ保持具で、かつ、主ロープの他端側を他端側用ロープ保持具で、それぞれ引っ張り上げられることにより、主ロープの弛みを簡単に取り除くことのできるエレベーター用主ロープのロープ交換方法がえられた。
【００２０】
また、本発明によれば、主ロープのロープ交換時におけるロープの初期伸びの発生をなくし、主ロープの他端と第２のシンブルロッドを連結した後に、隙間寸法（カウンタクリアランス）を再調整するという作業を不要にすることができるので、ロープ交換作業時間の短縮化を可能にするとともに、主ロープの端部とシンブルロッドとの連結作業の円滑化を図ることができるエレベーター用主ロープのロープ交換方法がえられた。
【発明を実施するための最良の形態】
【００２１】
以下、本発明に係るエレベーター用主ロープのロープ伸び調整方法及びロープ交換方法の一実施形態例を、図１から図６に基づいて説明する。
【００２２】
図１から図３における一実施形態例のエレベーター１は、建物内に形成された昇降路２と、昇降路２の内側壁に沿って垂直方向に敷設されたガイドレール３と、このガイドレール３に沿って上下に移動する乗りかご４と、この乗りかご４がガイドレール３に沿って上昇する場合に下降し、かつ、この乗りかご４がガイドレール３に沿って下降する場合に上昇する釣合いおもり５と、この釣合いおもり５とを前記乗りかご４を移動させるための複数本の主ロープ６と、これら主ロープ６を移動させる駆動源となる巻上機７と、昇降路２内の頂部２Ａに設けたシンブルロッド支持部材となるプーリビーム８と、このプーリビーム８に２個の転向プーリ９、９Ａとを備えている。乗りかご４の底面には、２個の乗りかご用プーリ１０が設けられている。釣合いおもり５の上面には、１個の釣合いおもり用プーリ１１が設けられている。巻上機７は、昇降路２のピット内底２Ｂに設けられている。
【００２３】
主ロープ６は、図１及び図３に示すように、乗りかご４を吊設する乗りかご用プーリ１０と２個の転向プーリ９、９Ａと巻上機７の駆動綱車１２と釣合いおもり５を吊設する釣合いおもり用プーリ１１に巻装され、しかも、図３に示すように、その主ロープ６の一端６Ａが第１のシンブルロッド１３に取り付けられ、かつ、その主ロープ６の他端６Ｂが第２のシンブルロッド１３Ａに取り付けられる。第１のシンブルロッド１３及び第２のシンブルロッド１３Ａは、プーリビーム８に設置されている。昇降路２のピット内底２Ｂには、釣合いおもり５の下面と対向する位置に釣合いおもり用緩衝器１４が設けられている。
【００２４】
ロープ交換作業完了時、乗りかご４が昇降路２の最上階レベルに位置している状態では、図３に示すように、釣合いおもり５と釣合いおもり用緩衝器１４との間の隙間寸法（カウンタクリアランス）Ｌが、規定寸法に設定される。第１のシンブルロッド１３及び第２のシンブルロッド１３Ａは、その第１のシンブルロッド１３及び第２のシンブルロッド１３Ａを上方に移動させることにより主ロープ６をシンブルロッド支持部材となるプーリビーム８側に引っ張り上げることで、主ロープ６の張力や伸びを調整したり、隙間寸法（カウンタクリアランス）Ｌを調整したりすることができる構成になっている。
【００２５】
ロープ交換作業時、上記主ロープ６の一端６Ａを第１のシンブルロッド１３に連結し、かつ、その主ロープ６の他端６Ｂを第２のシンブルロッド１３Ａに連結する場合には、図１に示すように、乗りかご４をワイヤロープからなる乗りかご吊り部材１５で落下しないようにガイドレール３に支持するとともに、釣合いおもり５を昇降路２のピット側壁２Ｃに設けた釣合いおもり支持部材１６で落下しないように支持する。その後、シンブルロッド支持部材となるプーリビーム８に、ロープ一端側用引っ張り装置１８とロープ他端側用引っ張り装置１８Ａとロープ中間部分用引っ張り装置１８Ｂを、それぞれ、２個ずつ装着するとともに、ロープ一端側用引っ張り装置１８に一端側用ロープ保持具１７を、ロープ他端側用引っ張り装置１８Ａに他端側用ロープ保持具１７Ａを、ロープ中間部分用引っ張り装置１８Ｂに中間部分用ロープ保持具１７Ｂを、それぞれ、装着する。さらに、その後、主ロープ６の一端６Ａ側を一端側用ロープ保持具１７で、主ロープ６の中間部分６Ｃを中間部分用ロープ保持具１７Ｂで、主ロープ６の他端６Ｂ側を他端側用ロープ保持具１７Ａで、それぞれ保持すればよい（図１及び図２を参照）。
【００２６】
なお、ロープ一端側用引っ張り装置１８とロープ他端側用引っ張り装置１８Ａとロープ中間部分用引っ張り装置１８Ｂを総称して、引っ張り装置といい、一端側用ロープ保持具１７、他端側用ロープ保持具１７Ａ及び中間部分用ロープ保持具１７Ｂを総称して、ロープ保持具といい、第１のシンブルロッド１３及び第２のシンブルロッド１３Ａを総称して、シンブルロッドという。
【００２７】
ロープ一端側用引っ張り装置１８、ロープ他端側用引っ張り装置１８Ａ及びロープ中間部分用引っ張り装置１８Ｂは、それぞれプーリビーム８に装着した玉掛けワイヤ１９及びこの玉掛けワイヤ１９に取り付けたトルク調整可能なチェーンブロック２０からなっている。一端側用ロープ保持具１７、他端側用ロープ保持具１７Ａ及び中間部分用ロープ保持具１７Ｂは、いずれも、複数本の主ロープ６を一緒に保持できる構造になっており、チェーンブロック２０のチェーン部２０Ｂが着脱可能に装着される。一端側用ロープ保持具１７、他端側用ロープ保持具１７Ａ及び中間部分用ロープ保持具１７Ｂは、主ロープ６を挟持部材によりは挟み込んだ後、その挟持部材を締結部材により締結することによって、主ロープ６を保持する構造になっている。玉掛けワイヤ１７には、チェーンブロック２０の本体部２０Ａが着脱可能に装着される（図１及び図２を参照）。
【００２８】
第１のシンブルロッド１３及び第２のシンブルロッド１３Ａは、図４に示すように、例えば、シンブルロッド支持部材となるプーリビーム８の貫通穴８Ａに嵌挿されており、その外周に調整ナット２１とコイル状のばね体２２と上ばね座２３と下ばね座２４が設けられている。第１のシンブルロッド１３及び第２のシンブルロッド１３Ａの外周には、調整ナット２１が螺合する螺旋溝が形成されている。上ばね座２３は、調整ナット２１とばね体２２の上端との間に介在させてある。下ばね座２４は、ばね体２２の下端とプーリビーム８の上面との間に介在させてある。したがって、図４において、調整ナット２１をばね体２２のばね力に逆らって下方に螺進させると第１のシンブルロッド１３若しくは第２のシンブルロッド１３Ａが上方に移動させられるので、第１のシンブルロッド１３若しくは第２のシンブルロッド１３Ａの下端側に連結された主ロープ６の一端６Ａ若しくは他端６Ｂが上方に引っ張り上げる。第１のシンブルロッド１３若しくは第２のシンブルロッド１３Ａと主ロープ６の一端６Ａ若しくは他端６Ｂとは、ロープソケット２５を用いて連結されている。
【００２９】
上記一実施形態例のエレベーター１において、図３に示すごとく既設された主ロープ６が、長時間稼動により、伸びてしまい、釣合いおもり５と釣合いおもり用緩衝器１４との間の隙間寸法（カウンタクリアランス）Ｌが規定寸法よりも小さくなってしまった場合には、図５に示す作業手順に従って主ロープ６のロープ伸び調整方法を実行し、隙間寸法（カウンタクリアランス）Ｌが規定寸法になるようにすればよい。
【００３０】
すなわち、最初に、シンブルロッド支持部材となるプーリビーム８に引っ張り装置を装着するとともに、引っ張り装置１８、１８Ａ、１８Ｂにロープ保持具１７、１７Ａ、１７Ｂを装着する装着工程Ｓ１を実行する。次に、図５に示すように、ロープ保持具１７、１７Ａ、１７Ｂで主ロープ６を保持する保持工程Ｓ２を実行する。次に、図５に示すように、この保持工程Ｓ２終了後、引っ張り装置１８、１８Ａ、１８Ｂでロープ保持具１７、１７Ａ、１７Ｂを引っ張ってロープ保持具１７、１７Ａ、１７Ｂをプーリビーム８に近づけた状態で第１のシンブルロッド１３の調整ナット２１と第２のシンブルロッド１３Ａの調整ナット２１の両方もしくはいずれか一方を下方に螺進させて主ロープ６の一端６Ａと他端６Ｂの両方もしくはいずれか一方を上方に引っ張り上げることにより釣合いおもり５と昇降路２のピット内底２Ｂに設けた釣合いおもり用緩衝器１４との間の隙間寸法（カウンタクリアランス）Ｌを調整する隙間寸法調整工程Ｓ３を実行する。最後に、図５に示すように、この隙間寸法調整工程Ｓ３終了後、主ロープ６の両端からロープ保持具１７、１７Ａ、１７Ｂを取り外すとともに、プーリビーム８から引っ張り装置１８、１８Ａ、１８Ｂを取り外す取外工程Ｓ４を実行すればよい。
【００３１】
上記ロープ伸び調整方法によれば、引っ張り装置１８、１８Ａ、１８Ｂでロープ保持具１７、１７Ａ、１７Ｂを引っ張り上げてロープ保持具１７、１７Ａ、１７Ｂをプーリビーム８に近づけた状態とすることで、第１のシンブルロッド１３及び第２のシンブルロッド１３Ａに乗りかご４及び釣合いおもり５の荷重が加わらなくなる。そのために、調整ナット２１を難なく工具で上下方向に螺進させることができるようになるので、隙間寸法（カウンタクリアランス）Ｌの調整を、簡単に、かつ、正確に行うことができる。
【００３２】
上記一実施形態例のエレベーター１におけるロープ交換方法は、図６に示す作業手順に従って行われる。その作業手順を次に説明する。
【００３３】
（１）最初に、乗りかご４を乗りかご吊り部材１５で、かつ、釣合いおもり５を釣合いおもり支持部材１６で、それぞれ支持することにより主ロープ６に乗りかご４及び釣合いおもり５の荷重が加わらないように支持する支持工程Ｓ１０を実行する。
【００３４】
（２）次に、支持工程Ｓ１０終了後、図６に示すように、シンブルロッド支持部材となるプーリビーム８に、ロープ一端側用引っ張り装置１８とロープ中間部分用引っ張り装置１８Ｂとロープ他端側用引っ張り装置１８Ａを装着し、かつ、ロープ一端側用引っ張り装置１８に一端側用ロープ保持具１７を、ロープ中間部分用引っ張り装置１８Ｂに中間部分用ロープ保持具１７Ｂを、ロープ他端側用引っ張り装置１８Ａに他端側用ロープ保持具１７Ａを、それぞれ装着する装着工程Ｓ１１を実行する。
【００３５】
（３）次に、装着工程Ｓ１１終了後、図６に示すように、既設の主ロープに換えて、新しい主ロープ６を乗りかご用プーリ１０と駆動綱車１２と転向プーリ９、９Ａと釣合いおもり用プーリ１１に巻装する巻装工程Ｓ１２を実行する。
【００３６】
（４）次に、巻装工程Ｓ１２終了後、図６に示すように、新しい主ロープ６の一端６Ａ側を一端側用ロープ保持具１７で、新しい主ロープ６の中間部分６Ｃを中間部分用ロープ保持具１７Ｂで、新しい主ロープ６の他端６Ｂ側を他端側用ロープ保持具１７Ａで、それぞれ保持する保持工程Ｓ１３を実行する。
【００３７】
（５）次に、保持工程Ｓ１３終了後、図６に示すように、乗りかご４から乗りかご吊り部材１５を、かつ、釣合いおもり５から釣合いおもり支持部材１６を、それぞれ取り除く取除き工程Ｓ１４を実行する。
【００３８】
（６）次に、取除き工程Ｓ１４終了後、図６に示すように、ロープ一端側用引っ張り装置１８で一端側用ロープ保持具１７を引っ張り上げてその一端側用ロープ保持具１７をプーリビーム８側に近づけた状態を保ちつつその新しい主ロープ６の一端６Ａ側を第１のシンブルロッド１３に連結し、その後一端側用ロープ保持具１７及びロープ一端側用引っ張り装置１８を取り外してなるロープ一端側連結工程Ｓ１５を実行する。
【００３９】
（７）次に、ロープ一端側連結工程Ｓ１５終了後、図６に示すように、ロープ中間部分用引っ張り装置１８Ｂで中間部分用ロープ保持具１７Ｂを引っ張り上げて新しい主ロープ６の一端６Ａ側の弛みを取る一端側弛み取り工程Ｓ１６を実行する。
【００４０】
（８）次に、一端側弛み取り工程Ｓ１６終了後、図６に示すように、ロープ他端側用引っ張り装置１８Ａで他端側用ロープ保持具１７Ａを引っ張り上げて新しい主ロープ６の他端６Ｂ側の弛みを取る他端側弛み取り工程Ｓ１７を実行する。
【００４１】
（９）次に、他端側弛み取り工程Ｓ１７終了後、図６に示すように、新しい主ロープ６の中間部分６Ｃから中間部分用ロープ保持具１７Ｓを、プーリビーム８からロープ中間部分用引っ張り装置１８Ｂを、それぞれ取り外す中間部取外工程Ｓ１８を実行する。
【００４２】
（１０）最後に、図６に示すように、ロープ他端側用引っ張り装置１８Ａで他端側用ロープ保持具１７Ａを引っ張り上げてその他端側用ロープ保持具１７Ａをプーリビーム８に近づけた状態を保ちつつ、新しい主ロープ６の他端６Ｂ側を他端側用ロープ保持具１７Ａから外して第２のシンブルロッド１３Ａに連結し、かつ、そのシンブルロッド１３Ａの調整ナット２１を上下方向に螺進させてシンブルロッド１３Ａの高さ位置を調整することで、釣合いおもり５と釣合いおもり用緩衝器１４との間の隙間寸法（カウンタクリアランス）Ｌを調整し、その後他端側用ロープ保持具１７Ａ及びロープ他端側用引っ張り装置１８Ａを取り外してなるロープ他端側連結工程Ｓ１９を実行すればよい。
【００４３】
上記（１）から（１０）の作業手順によれば、図１及び図３に示すように、主ロープ６が、乗りかご用プーリ１０と２個の転向プーリ９、９Ａと昇降路２のピット内底２Ｂに設けられた駆動綱車１２と釣合いおもり用プーリ１１に巻装（ローピング）されることにより、長くなっていても、主ロープ６の中間部分６Ｃを中間部分用ロープ保持具１７Ｂで、かつ、主ロープ６の他端６Ｂ側を他端側用ロープ保持具１７Ａで、それぞれ垂直方向に引っ張り上げられることによって、２個の転向プーリ９、９Ａ付近や乗りかご４の底面に設けた２個の乗りかご用プーリ１０付近における主ロープ６の弛みが確実にとれる。
【００４４】
さらに、ロープ一端側用引っ張り装置１８により一端側用ロープ保持具１７を垂直方向に引っ張り上げることで、主ロープ６の一端６Ａをプーリビーム８側に近づけた状態を保持することができるため、作業者は主ロープ６の一端６Ａを保持する必要がなく、作業者は両手で主ロープ６の一端６Ａ側と第１のシンブルロッド１３の連結作業を行うことができるので、その連結作業の円滑化を図ることができる。
【００４５】
さらに、ロープ他端側用引っ張り装置１８Ａにより他端側用ロープ保持具１７Ａを垂直方向に引っ張り上げることで、主ロープ６の他端６Ｂをプーリビーム８側に近づけた状態を保持することができるため、主ロープ６の一端６Ａ側と第１のシンブルロッド１３の連結作業と同様に、主ロープ６の他端６Ｂ側と第２のシンブルロッド１３Ａの連結作業の円滑化を図ることができる。
【００４６】
さらに、ロープ他端側用引っ張り装置１８Ａで他端側用ロープ保持具１７Ａを引っ張り上げてその他端側用ロープ保持具１７Ａをプーリビーム８に近づけた状態を保持した際、主ロープ６には乗りかご４及び釣合いおもり５の全荷重が加わった状態となり、その状態で主ロープ６の他端６Ｂ側を第２のシンブルロッド１３Ａに連結することができるので、主ロープ６の他端６Ｂと第２のシンブルロッド１３Ａを連結した後における主ロープ６の伸び、すなわち、ロープの初期伸びの発生を防ぐことができる。そのために、主ロープ６の他端６Ｂと第２のシンブルロッド１３Ａを連結した後、上記ロープ伸び調整方法により、隙間寸法（カウンタクリアランス）Ｌを再調整する必要性がなくなり、ロープ交換作業時間の短縮化が図られる。
【００４７】
さらに、釣合いおもり５と釣合いおもり用緩衝器１４との間の隙間寸法（カウンタクリアランス）Ｌの調整作業をする際、ロープ他端側用引っ張り装置１８Ａで他端側用ロープ保持具１７Ａを垂直方向に引っ張り上げて他端側用ロープ保持具１７Ａをプーリビーム８に近づけた状態とすると、第２のシンブルロッド１３Ａに乗りかご４及び釣合いおもり５の荷重が加わらなくなるため、第２のシンブルロッド１３Ａの調整ナット２１を難なく工具で上下方向に螺進させることができるようになるので、隙間寸法（カウンタクリアランス）Ｌの調整を、簡単に、かつ、正確に行うことができる。なお、引っ張り装置１８Ａでロープ保持具１７Ａを引っ張り上げると、ロープ保持具１７Ａにより３本の主ロープ６が一緒に引っ張り上げられるので、３本の主ロープ６間で張力や長さのばらつきが発生することがない。
【００４８】
さらに、トルク調整可能な引っ張り装置１８、１８Ａ、１８Ｂとしたので、乗りかご４や釣合いおもり５の荷重の異なるエレベーターのロープ交換作業に対して、一セットの引っ張り装置１８、１８Ａ、１８Ｂにより、対応できる。
【００４９】
次に、主ロープのロープ交換方法の他実施形態例を、図７から図９に基づいて説明する。図７は、本発明の他実施形態例その１を示す半かけ２：１巻装（ローピング）方式の概略説明図、図８は、本発明の他実施形態例その２を示す全かけ２：１巻装（ローピング）方式の概略説明図、図９は、本発明の他実施形態例によるエレベーター用主ロープのロープ交換方法の作業手順を示すフローチャートである。図７及び図８において、図１と同一符号は、同一内容を表している。
【００５０】
図７から図８に示す主ロープの巻装（ローピング）方式例のように、巻上機７が昇降路２の頂部２Ａに設けられている場合のエレベーターに好適である主ロープのロープ交換方法は、図９に示す作業手順に従って行われる。その作業手順を次に説明する。
【００５１】
（一）最初に、乗りかご４を乗りかご吊り部材１５で、かつ、釣合いおもり５を釣合いおもり支持部材１６で、それぞれ支持することで主ロープ６に乗りかご４及び釣合いおもり５の荷重が加わらないように支持する支持工程Ｓ２０を実行する。
【００５２】
（二）次に、支持工程Ｓ２０終了後、図９に示すように、シンブルロッド支持部材となるプーリビーム８に、ロープ一端側用引っ張り装置１８とロープ他端側用引っ張り装置１８Ａを装着し、かつ、ロープ一端側用引っ張り装置１８に一端側用ロープ保持具１７を、ロープ他端側用引っ張り装置１８Ａに他端側用ロープ保持具１７Ａを、それぞれ装着する装着工程Ｓ２１を実行する。
【００５３】
（三）次に、装着工程Ｓ２１終了後、図９に示すように、既設の主ロープに換えて、新しい主ロープ６を、乗りかご用プーリ１０と駆動綱車１２と釣合いおもり用プーリ１１に巻装する巻装工程Ｓ２２を実行する。
【００５４】
（四）次に、巻装工程Ｓ２２終了後、図９に示すように、新しい主ロープ６の一端６Ａ側を一端側用ロープ保持具１７で、かつ、新しい主ロープ６の他端６Ｂ側に他端側用ロープ保持具１７Ａで、それぞれ保持する保持工程Ｓ２３を実行する。
【００５５】
（五）次に、保持工程Ｓ２３終了後、図９に示すように、乗りかご４から乗りかご吊り部材１５を、かつ、釣合いおもり５から釣合いおもり支持部材１６を、それぞれ取り除く取除き工程Ｓ２４を実行する。
【００５６】
（六）次に、取除き工程Ｓ２４終了後、図９に示すように、ロープ一端側用引っ張り装置１８で前記一端側用ロープ保持具１７を引っ張ってその一端側用ロープ保持具１７をプーリビーム８側に近づけた状態を保ちつつその新しい主ロープ６の一端６Ａ側を第１のシンブルロッド１３に連結し、その後一端側用ロープ保持具１７及びロープ一端側用引っ張り装置１８を取り外してなるロープ一端側連結工程Ｓ２５を実行する。
【００５７】
（七）最後に、図９に示すように、ロープ他端側用引っ張り装置１８Ａで他端側用ロープ保持具１７Ａを引っ張ってその他端側用ロープ保持具をプーリビーム８側に近づけた状態を保ちつつ、新しい主ロープ６の他端６Ｂ側を第２のシンブルロッド１３Ａに連結し、かつ、そのシンブルロッド１３Ａを調整することで釣合いおもり５と釣合いおもり用緩衝器１４との間の隙間寸法（カウンタクリアランス）Ｌを調整し、その後他端側用ロープ保持具１７Ａ及びロープ他端側用引っ張り装置１８Ａを取り外してなるロープ他端側連結工程Ｓ２６を実行すればよい。
【００５８】
上記（一）から（七）の作業手順によれば、  ロープ他端側用引っ張り装置１８Ａで他端側用ロープ保持具１７Ａを引っ張り上げてその他端側用ロープ保持具１７Ａをプーリビーム８に近づけた状態を保持した際、主ロープ６には乗りかご４及び釣合いおもり５の全荷重が加わった状態となり、その状態で主ロープ６の他端６Ｂ側を第２のシンブルロッド１３Ａに連結することができるので、主ロープ６の他端６Ｂと第２のシンブルロッド１３Ａを連結した後における主ロープ６の伸び、すなわち、ロープの初期伸びの発生を防ぐことができる。そのために、主ロープ６の他端６Ｂと第２のシンブルロッド１３Ａを連結した後、上記ロープ伸び調整方法により、隙間寸法（カウンタクリアランス）Ｌを再調整する必要性がなくなり、ロープ交換作業時間の短縮化が図られる。
【００５９】
さらに、ロープ一端側用引っ張り装置１８により一端側用ロープ保持具１７を垂直方向に引っ張り上げることで、主ロープ６の一端６Ａをプーリビーム８側に近づけた状態を保持することができるため、作業者は主ロープ６の一端６Ａを保持する必要がなく、作業者は両手で主ロープ６の一端６Ａ側と第１のシンブルロッド１３の連結作業を行うことができるので、その連結作業の円滑化を図ることができるとともに、ロープ他端側用引っ張り装置１８Ａにより他端側用ロープ保持具１７Ａを垂直方向に引っ張り上げることで、主ロープ６の他端６Ｂをプーリビーム８側に近づけた状態を保持することができるため、主ロープ６の一端６Ａ側と第１のシンブルロッド１３の連結作業と同様に、主ロープ６の他端６Ｂ側と第２のシンブルロッド１３Ａの連結作業の円滑化を図ることができる。
【００６０】
上記実施形態例のシンブルロッド支持部材は、プーリビーム８であるが、これに限定されない。シンブルロッド支持部材としては、吊り板、マシンベース若しくは昇降炉内の梁であってもよい。
【００６１】
上記実施形態例では、ロープ一端側用引っ張り装置１８若しくはロープ他端側用引っ張り装置１８Ａでロープ保持具１７、１７Ａをシンブルロッド支持部材側に引っ張り上げるようにしているが、これに限定されない。引っ張り装置１８、１８Ａにより一端側用ロープ保持具１７若しくは他端側用ロープ保持具１７Ａをシンブルロッド支持部材側に引き下げるようにすることも可能である。上記実施形態例では、乗りかご吊り部材１５をプーリビーム８に取り付けているが、乗りかご吊り部材１５をガイドレール３に取り付けるようにしてもよい。
【００６２】
さらに、上記一実施形態例によるエレベーター用主ロープのロープ交換方法では、支持工程Ｓ１０を終了後に装着工程Ｓ１１を実行し、かつ、装着工程Ｓ１１を終了後に巻装工程Ｓ１２を実行するようにしているが、これに限定されない。支持工程Ｓ１０を終了後に巻装工程Ｓ１２を実行し、その後に装着工程Ｓ１１を実行するようにすることも可能である。
【００６３】
さらに、上記一実施形態例によるエレベーター用主ロープのロープ交換方法では、主ロープ６を、乗りかご４の底面に設けた２個の乗りかご用プーリ１０と２個の転向プーリ９、９Ａと昇降路２のピット内底２Ｂに設けた巻上機７の駆動綱車１２と釣合いおもり５を吊設する釣合いおもり用プーリ１１に巻装するようにしているが、これに限定されない。主ロープ６を、乗りかご４の上面に設けた1個又は２個の乗りかご用プーリと昇降路２の頂部２Ａに設けた巻上機の駆動綱車と釣合いおもり５を吊設する1個又は２個の釣合いおもり用プーリ１１とに巻装するようにした場合であってもよい。
【図面の簡単な説明】
【００６４】
【図１】本発明の一実施形態例によるエレベーター用主ロープのロープ交換方法を採用した作業途中状態を示すエレベーター用昇降路部分の概略縦断面図である。
【図２】本発明の一実施形態例によるエレベーター用主ロープのロープ交換方法を採用した作業途中状態を示す要部拡大正面図である。
【図３】本発明の一実施形態例によるエレベーター用主ロープのロープ交換方法を採用した作業完了状態を示すエレベーター昇降路の縦断面図である。
【図４】本発明の一実施形態例によるシンブルロッド部分の拡大縦断面図である。
【図５】本発明の一実施形態例によるエレベーター用主ロープのロープ伸び調整方法の作業手順を示すフローチャートである。
【図６】本発明の一実施形態例によるエレベーター用主ロープのロープ交換方法の作業手順を示すフローチャートである。
【図７】本発明の他実施形態例その１を示すエレベーターの半かけ２：１巻装（ローピング）方式の概略説明図である。
【図８】本発明の他実施形態例その２を示すエレベーターの全かけ２：１巻装（ローピング）方式の概略説明図である。
【図９】本発明の他実施形態例によるエレベーター用主ロープのロープ交換方法の作業手順を示すフローチャートである。
【符号の説明】
【００６５】
１    エレベーター
２    昇降路
２Ａ  頂部
２Ｂ  ピット内底
３    ガイドレール
４    乗りかご
５    釣合いおもり
６    主ロープ
７    巻上機
８    プーリビーム（シンブルロッド支持部材）
９    転向プーリ
９Ａ  転向プーリ
１０  乗りかご用プーリ
１１  釣合いおもり用プーリ
１２  駆動綱車
１３  第１のシンブルロッド
１３Ａ  第２のシンブルロッド
１４  釣合いおもり用緩衝器
１５  乗りかご吊り部材
１６  釣合いおもり支持部材
１７  一端側用ロープ保持具
１７Ａ  他端側用ロープ保持具
１７Ｂ  中間部分用ロープ保持具
１８  ロープ一端側用引っ張り装置
１８Ａ  ロープ他端側用引っ張り装置
１８Ｂ  ロープ中間部分用引っ張り装置
１９  玉掛けワイヤ
２０  チェーンブロック
２１  調整ナット
２２  ばね体
２３  上ばね座
２４  下ばね座
２５  ロープソケット
Ｌ  隙間寸法（カウンタクリアランス）
【図１】
2005082308.tif 000003
【図２】
2005082308.tif 000004
【図３】
2005082308.tif 000005
【図４】
2005082308.tif 000006
【図５】
2005082308.tif 000007
【図６】
2005082308.tif 000008
【図７】
2005082308.tif 000009
【図８】
2005082308.tif 000010
【図９】
2005082308.tif 000011